(57)【特許請求の範囲】
【請求項１】
複数の単位回路と、
第１期間にて前記各単位回路の補正データが供給されるとともに前記第１期間とは異なる第２期間にて前記各単位回路の階調データが供給される信号線と、
第１期間および第２期間の各々において前記各単位回路を順次に選択する選択手段とを具備し、
前記複数の単位回路の各々は、
駆動電流に応じた階調となる電気光学素子と、
前記選択手段が当該単位回路を選択したときに前記信号線からデータを順次に取得するデータ取得手段と、
補正データに応じた基準電流を生成する補正手段と、
前記電気光学素子に供給される駆動電流を、階調データと前記補正手段が生成した基準電流とに応じて制御する駆動手段と、
前記データ取得手段が前記第１期間に取得した補正データを前記補正手段に出力するとともに前記データ取得手段が前記第２期間に取得した階調データを前記駆動手段に出力する経路制御手段とを含み、
前記第１期間において前記選択手段が前記各単位回路を選択する周期は、前記第２期間において前記選択手段が前記各単位回路を選択する周期よりも長い
電気光学装置。
【請求項２】
複数の単位回路と、
第１期間にて前記各単位回路の補正データが供給されるとともに前記第１期間とは異なる第２期間にて前記各単位回路の階調データが供給される信号線とを具備し、
前記複数の単位回路の各々は、
駆動電流に応じた階調となる電気光学素子と、
前記信号線からデータを順次に取得するデータ取得手段と、
補正データに応じた基準電流を生成する補正手段と、
前記電気光学素子に供給される駆動電流を、階調データと前記補正手段が生成した基準電流とに応じて制御する駆動手段と、
前記データ取得手段が前記第１期間に取得した補正データを前記補正手段に出力するとともに前記データ取得手段が前記第２期間に取得した階調データを前記駆動手段に出力する経路制御手段とを含み、
前記各単位回路の経路制御手段は、前記駆動手段に対する階調データの出力よりも長い期間にわたって補正データを前記補正手段に出力する
電気光学装置。
【請求項３】
第１単位回路と第２単位回路とを各々が含む複数の回路部と、
第１期間にて前記各第２単位回路の補正データが供給されるとともに前記第１期間とは異なる第２期間にて前記各第１単位回路の階調データが供給される第１信号線と、
前記第１期間にて前記各第１単位回路の補正データが供給されるとともに前記第２期間にて前記各第２単位回路の階調データが供給される第２信号線とを具備し、
前記第１単位回路および前記第２単位回路の各々は、
駆動電流に応じた階調となる電気光学素子と、
データを取得するデータ取得手段と、
補正データに応じた基準電流を生成する補正手段と、
前記電気光学素子に供給される駆動電流を、階調データと前記補正手段が生成した基準電流とに応じて制御する駆動手段と、
前記データ取得手段が取得したデータの出力先を制御する経路制御手段とを含み、
前記各第１単位回路のデータ取得手段は前記第１信号線から順次にデータを取得し、前記各第２単位回路のデータ取得手段は前記第２信号線から順次にデータを取得し、
前記複数の回路部の各々において、
前記第１単位回路の経路制御手段は、当該第１単位回路のデータ取得手段が前記第１期間に取得した補正データを前記第２単位回路の補正手段に出力するとともに、当該第１単位回路のデータ取得手段が前記第２期間に取得した階調データを当該第１単位回路の駆動手段に出力し、
前記第２単位回路の経路制御手段は、当該第２単位回路のデータ取得手段が前記第１期間に取得した補正データを前記第１単位回路の補正手段に出力するとともに、当該第２単位回路のデータ取得手段が前記第２期間に取得した階調データを当該第２単位回路の駆動手段に出力する
電気光学装置。
【請求項４】
前記複数の回路部の各々において、
前記第１単位回路の経路制御手段は、前記第２単位回路の補正手段からみて当該第２単位回路の電気光学素子とは反対側に配置され、
前記第２単位回路の経路制御手段は、前記第１単位回路の補正手段からみて当該第１単位回路の電気光学素子とは反対側に配置される
請求項３に記載の電気光学装置。
【請求項５】
第１期間と第２期間との各々にて前記各第１単位回路を順次に選択する第１選択手段と、
第１期間と第２期間との各々にて前記各第２単位回路を順次に選択する第２選択手段とを具備し、
前記各第１単位回路のデータ取得手段は、前記第１選択手段が当該第１単位回路を選択したときに前記第１信号線からデータを取得し、
前記各第２単位回路のデータ取得手段は、前記第２選択手段が当該第２単位回路を選択したときに前記第２信号線からデータを取得する
請求項３または請求項４に記載の電気光学装置。
【請求項６】
前記第１選択手段が前記各第１単位回路を選択するタイミングと前記第２選択手段が前記各第２単位回路を選択するタイミングとは略一致する
請求項５に記載の電気光学装置。
【請求項７】
請求項１から請求項６の何れかに記載の電気光学装置を具備する電子機器。
【発明の詳細な説明】
【技術分野】
【０００１】
本発明は、有機発光ダイオード（以下「ＯＬＥＤ（Organic  Light  Emitting  Diode
）」という）素子など各種の電気光学素子を制御する技術に関する。
【背景技術】
【０００２】
電気光学素子とこれを制御する回路とを含む複数の単位回路を配列した構成の電気光学
装置が従来から提案されている。この種の電気光学装置においては、各電気光学素子の特
性（例えば発光効率）や各単位回路を構成するトランジスタの特性（例えば閾値電圧）の
バラツキに起因して、複数の電気光学素子について階調（輝度）のムラが発生する場合が
ある。このような階調のムラを抑制するために、例えば特許文献１には、各電気光学素子
の階調データ（階調を指定するデータ）を補正データに基づいて補正したうえで各電気光
学素子を駆動する構成が開示されている。
【特許文献１】特開２００５−２８３８１６号公報
【発明の開示】
【発明が解決しようとする課題】
【０００３】
しかしながら、特許文献１の構成においては、補正データに基づいて階調データを補正
するための演算回路が不可欠であるから、電気光学素子の周辺に配置される回路（以下「
周辺回路」という）の規模が肥大化するという問題がある。このような事情を背景として
、本発明は、周辺回路の規模を抑制しながら各電気光学素子の階調のムラを抑制するとい
う課題の解決を目的としている。
【課題を解決するための手段】
【０００４】
以上の課題を解決するために、本発明の第１の態様に係る電気光学装置は、複数の単位
回路と、第１期間（例えば図３の第１期間Ｐa）にて各単位回路の補正データが供給され
るとともに第１期間とは異なる第２期間（例えば図３の第２期間Ｐb）にて各単位回路の
階調データが供給される信号線（例えば図２の信号線Ｌ）とを具備し、複数の単位回路の
各々は、駆動電流（例えば図２の駆動電流Ｉdr）に応じた階調となる電気光学素子と、信
号線からデータを順次に取得するデータ取得手段（例えば図２のデータ取得回路３０）と
、補正データに応じた基準電流（例えば図２の基準電流Ｉs[1]〜Ｉs[n]）を生成する補正
手段（例えば図２の補正回路５０）と、電気光学素子に供給される駆動電流を、階調デー
タと補正手段が生成した基準電流とに応じて制御する駆動手段（例えば図２の駆動トラン
ジスタＴdr）と、データ取得手段が第１期間に取得した補正データを補正手段に出力する
とともにデータ取得手段が第２期間に取得した階調データを駆動手段に出力する経路制御
手段（例えば図２の経路制御回路４０）とを含む。なお、この態様の具体例は第１実施形
態および第３実施形態として後述される。
【０００５】
以上の構成においては、駆動電流の基礎となる基準電流を補正データに基づいて生成す
る補正手段が各単位回路に設置されるから、補正データに基づいて階調データを補正する
周辺回路は原理的には不要である。したがって、電気光学装置の周辺回路の規模を縮小す
ることができる。さらに、信号線が補正データの伝送と階調データの伝送とに兼用される
から、補正データを伝送する配線と階調データを伝送する配線とが別個に形成された構成
と比較して構成が簡素化される。例えば、補正データと階調データとが共通の端子から信
号線に入力されるから、各々が別個の端子に入力される構成と比較して端子数を削減でき
る。したがって、各端子と外部との接続に不良が発生する可能性を低減でき、これによっ
て電気光学装置の信頼性を向上させることができる。
【０００６】
なお、補正データに基づいて階調データを補正する周辺回路が原理的には不要であると
言っても、各単位回路の補正手段が補正データに基づいて基準電流を調整する構成（すな
わち駆動電流が補正データに応じて補正される構成）と周辺回路が階調データを補正する
構成とを兼備する電気光学装置を本発明の範囲から除外する趣旨ではない。複数の種類の
補正が実行される電気光学装置において、少なくともひとつの補正が各単位回路の補正手
段によって実行される構成によれば、周辺回路にてその補正を実行する必要はなくなるか
ら、総ての補正を周辺回路が実行する従来の構成と比較すれば、周辺回路の規模を縮小で
きるという本発明の所期の効果は確かに奏される。例えば、各単位回路の補正手段による
補正で各電気光学素子の特性のバラツキが抑制されるとともに、周辺回路が階調データに
対してガンマ補正を実行する構成としてもよい。
【０００７】
本発明における電気光学素子は、輝度や透過率といった光学的な特性が電流の供給によ
って変化する要素（いわゆる電流駆動型の電気光学素子）である。本発明に係る電気光学
装置の典型例は、駆動電流の電流値に応じた輝度で発光する発光素子（例えばＯＬＥＤ素
子）を電気光学素子として採用した発光装置であるが、その他の電気光学素子を採用した
電気光学装置にも本発明は適用される。
【０００８】
また、本発明における駆動手段の典型例は、駆動電流の経路上に介挿されたトランジス
タ（例えば図２の駆動トランジスタＴdr）であるが、駆動手段の形態は任意に変更される
。例えば、補正回路から電気光学素子に至る経路から分岐した経路上に電気光学素子と並
列に配置されたトランジスタを駆動手段としてもよい。この構成においては、トランジス
タの導通状態（ソース−ドレイン間の抵抗）を階調データに応じて制御することによって
、基準電流のうち電気光学素子に流れる駆動電流とトランジスタに流れる電流との比率を
変化させることができるから、電気光学素子を階調データに応じた階調に駆動することが
可能である。
【０００９】
本発明における「複数の単位回路」は、電気光学装置が備える総ての単位回路であって
も一部の単位回路であってもよい。例えば、電気光学装置が備える総ての単位回路のなか
にダミー回路（専ら検査や試験のために使用されて実際には駆動されない単位回路）が含
まれる構成であっても、ダミー回路を除外した「複数の単位回路」について本発明の要件
が充足されれば、他の単位回路（ダミー回路）について要件の成立性を議論するまでもな
く、その電気光学装置は当然に本発明の範囲に含まれる。また、例えば、表示色（例えば
赤色・緑色および青色）が相違する複数の電気光学素子を備えた電気光学装置においては
、例えば特定の表示色の電気光学素子についてのみ補正が実行される構成としてもよい。
この構成においては、特定の表示色の電気光学素子に対応した「複数の単位回路」につい
て本発明の要件が充足されれば、他の表示色に対応する単位回路が本発明の要件を充足す
るか否かに拘わらず、その電気光学装置は本発明の範囲に含まれる。
【００１０】
本発明の好適な態様において、補正手段は、経路制御手段から供給される補正データを
記憶する記憶手段（例えば図４の保持回路５２）と、記憶手段に記憶された補正データに
応じた電流値の基準電流を生成する電流源（例えば図４の電流源トランジスタ５４）とを
含む。この構成によれば、補正データを記憶する記憶手段が各単位回路に設置されるから
、各電気光学素子の駆動に先立って各単位回路の記憶手段に補正データを格納しておけば
、階調データの転送のたびに補正データを各単位回路に供給する必要はない。したがって
、各単位回路が記憶手段を持たない構成と比較して、外部から電気光学装置に伝送される
べきデータ量を低減することができる。なお、記憶手段としては、例えばＳＲＡＭ（Stat
ic Random Access Memory）やＤＲＡＭ（Dynamic Random Access Memory）など各種の記
憶素子が採用される。
さらに具体的な構成において、補正手段は、各々が補正データのビットに対応する複数
の電流生成部（例えば図４の電流生成部Ｃ1〜Ｃ3）と、経路制御手段から出力された補正
データの各ビットがシリアルに供給される補正データ線（例えば図４の補正データ線ＬＡ
）とを含み、複数の電流生成部の各々は、補正データのうち当該電流生成部に対応したビ
ットを補正データ線から取得する取得手段（例えば図５のトランスミッションゲート６１
）と、取得手段が取得したビットを記憶する記憶手段（例えば図５のラッチ回路６４）と
、記憶手段が記憶するビットに応じた電流を生成する電流源（例えば図４や図５の電流源
トランジスタ５４）とを含み、各電流生成部の電流源が生成した電流の加算によって基準
電流を生成する。
【００１１】
さらに好適な態様（例えば後述する第１実施形態）においては、第１期間および第２期
間の各々において各単位回路を順次に選択する選択手段（例えば図２の選択回路２０）が
設置され、複数の単位回路の各々におけるデータ取得手段は、選択手段が当該単位回路を
選択したときに信号線からデータを取得し、第１期間において選択手段が各単位回路を選
択する周期（例えば図３の周期Ｔ1）は、第２期間において選択手段が各単位回路を選択
する周期（例えば図３の周期Ｔ2）よりも長い。換言すると、各単位回路の経路制御手段
は、駆動手段に対する階調データの出力よりも長い期間にわたって補正データを補正手段
に出力する。これらの態様によれば、信号線から各単位回路に補正データを取り込む期間
を充分に確保することができる。したがって、各単位回路の補正手段に確実に補正データ
を供給することが可能となる。
ゲートが階調データに応じた電位に設定されるトランジスタを駆動手段に採用した構成
や補正手段が記憶手段や電流源を備える構成においては、補正手段に補正データを出力す
る動作が駆動手段に階調データを出力する動作よりも高負荷となる場合が多い。したがっ
て補正データの取り込みの時間を充分に確保できる本態様は、このような場合に特に有効
であると言える。
【００１２】
本発明の第２の態様に係る電気光学装置は、第１単位回路（例えば図６の第１単位回路
Ｕa）と第２単位回路（例えば図６の第２単位回路Ｕb）とを各々が含む複数の回路部（例
えば図６の回路部ＵＢ1〜ＵＢN）と、第１期間（例えば図７の第１期間Ｐa）にて各第２
単位回路の補正データが供給されるとともに第１期間とは異なる第２期間（例えば図７の
第２期間Ｐb）にて各第１単位回路の階調データが供給される第１信号線（例えば図６の
信号線Ｌa）と、第１期間にて各第１単位回路の補正データが供給されるとともに第２期
間にて各第２単位回路の階調データが供給される第２信号線（例えば図６の信号線Ｌb）
とを具備する。第１単位回路および第２単位回路の各々は、駆動電流（例えば図６の駆動
電流Ｉdr）に応じた階調となる電気光学素子と、データを取得するデータ取得手段（例え
ば図６のデータ取得回路３０）と、補正データに応じた基準電流（例えば図６の基準電流
Ｉs[1]〜Ｉs[n]を生成する補正手段（例えば図６の補正回路５０）と、電気光学素子に供
給される駆動電流を、階調データと補正手段が生成した基準電流とに応じて制御する駆動
手段（例えば図６の駆動トランジスタＴdr）と、データ取得手段が取得したデータの出力
先を制御する経路制御手段（例えば図６の経路制御回路４０）とを含む。各第１単位回路
のデータ取得手段は第１信号線から順次にデータを取得し、各第２単位回路のデータ取得
手段は第２信号線から順次にデータを取得する。そして、複数の回路部の各々において、
第１単位回路の経路制御手段は、当該第１単位回路のデータ取得手段が第１期間に取得し
た補正データを第２単位回路の補正手段に出力するとともに、当該第１単位回路のデータ
取得手段が第２期間に取得した階調データを当該第１単位回路の駆動手段に出力し、第２
単位回路の経路制御手段は、当該第２単位回路のデータ取得手段が第１期間に取得した補
正データを第１単位回路の補正手段に出力するとともに、当該第２単位回路のデータ取得
手段が第２期間に取得した階調データを当該第２単位回路の駆動手段に出力する。なお、
この態様の具体例は第２実施形態として後述される。
【００１３】
以上の構成においては、各単位回路に補正手段が設置され、第１信号線および第２信号
線の各々が補正データの伝送と階調データの伝送とに兼用される。したがって、第１の態
様に係る電気光学装置と同様の作用および効果が奏される。また、第２の態様においては
、複数の回路部の各々において、第１単位回路の経路制御手段を、第２単位回路の補正手
段からみて当該第２単位回路の電気光学素子とは反対側に配置し、第２単位回路の経路制
御手段を、第１単位回路の補正手段からみて当該第１単位回路の電気光学素子とは反対側
に配置した構成を採用することができる。この構成によれば、第１単位回路の経路制御手
段と第２単位回路の補正手段とを連結する配線や第２単位回路の経路制御手段と第１単位
回路の補正手段とを連結する配線（例えば図６の補正データ線ＬＡ）を、各電気光学素子
の配列を横断するように形成する必要はない。したがって、電気光学素子の形成に利用で
きるスペースを拡大できるという利点がある。
【００１４】
第２の態様に係る電気光学装置においては、第１期間と第２期間との各々にて各第１単
位回路を順次に選択する第１選択手段（例えば図６の第１選択回路２１）と、第１期間と
第２期間との各々にて各第２単位回路を順次に選択する第２選択手段（例えば図６の第２
選択回路２２）とがさらに設置され、各第１単位回路のデータ取得手段は、第１選択手段
が当該第１単位回路を選択したときに第１信号線からデータを取得し、各第２単位回路の
データ取得手段は、第２選択手段が当該第２単位回路を選択したときに第２信号線からデ
ータを取得する。この態様によれば、第１選択手段による第１単位回路の選択と第２選択
手段による第２単位回路の選択とが並行に実施されるから、総ての単位回路の補正データ
や階調データを供給するための時間長を短縮することができる。この態様においては、第
１選択手段が各第１単位回路を選択するタイミングと第２選択手段が各第２単位回路を選
択するタイミングとを略一致させてもよい。この構成によれば、第１選択手段と第２選択
手段との動作のタイミングを規定する信号（例えば図７のクロック信号CLKaやクロック信
号CLKb）を第１選択手段と第２選択手段とで共用することが可能となる。
【００１５】
本発明に係る電気光学装置は各種の電子機器に利用される。この電子機器の典型例は、
本発明の電気光学装置を露光装置（光ヘッド）として利用した画像形成装置である。この
画像形成装置は、露光により像形成面に潜像が形成される像担持体（例えば図１の感光体
ドラム１１０）と、像形成面を露光する本発明の電気光学装置と、潜像に対する現像剤（
例えばトナー）の付着によって顕像を形成する現像器とを含む。もっとも、本発明に係る
電気光学装置の用途は露光に限定されない。例えば、本発明の電気光学装置を各種の電子
機器の表示装置として利用することもできる。この種の電子機器としては例えばパーソナ
ルコンピュータや携帯電話機がある。また、液晶装置の背面側に配置されてこれを照明す
る装置（バックライト）や、スキャナなどの画像読取装置に搭載されて原稿に光を照射す
る装置など各種の照明装置としても本発明の電気光学装置を採用することができる。
【００１６】
本発明は、電気光学装置を駆動するための方法としても特定される。電気光学装置は、
補正データに応じた基準電流を生成する補正手段（例えば図２や図６の補正回路５０）と
、階調データと補正手段が生成した基準電流とに応じた駆動電流の供給によって電気光学
素子を駆動する駆動手段（例えば図２や図６の駆動トランジスタＴdr）とを各々が含む複
数の単位回路を具備する。以下の各態様に係る駆動方法によれば、以上の各態様に係る電
気光学装置と同様の作用および効果が奏される。
【００１７】
第１の態様に係る駆動方法は、第１期間（例えば図３の第１期間Ｐa）にて各単位回路
の補正データを信号線（例えば図２の信号線Ｌ）に供給し、第１期間とは異なる第２期間
（例えば図３の第２期間Ｐb）にて各単位回路の階調データを信号線に供給する一方、第
１期間においては、各単位回路に対して信号線から順次に補正データを入力し、この入力
した補正データを当該単位回路の補正手段に供給し、第２期間においては、各単位回路に
対して信号線から順次に階調データを入力し、この入力した階調データを当該単位回路の
駆動手段に供給する。なお、この態様の具体例は第１実施形態や第３実施形態として後述
される。
【００１８】
第２の態様に係る駆動方法は、第１期間（例えば図７の第１期間Ｐa）において、各第
２単位回路の補正データを第１信号線（例えば図６の第１信号線Ｌa）に供給するととも
に各第１単位回路の補正データを第２信号線（例えば図６の第２信号線Ｌb）に供給し、
第１期間とは異なる第２期間（例えば図７の第２期間Ｐb）において、各第１単位回路の
階調データを第１信号線に供給するとともに第２単位回路の階調データを第２信号線に供
給する一方、第１期間においては、第１信号線に供給される補正データを各第２単位回路
の補正手段に供給するとともに、第２信号線に供給される補正データを各第１単位回路の
補正手段に供給し、第２期間においては、第１信号線に供給される階調データを各第１単
位回路の駆動手段に供給するとともに、第２信号線に供給される階調データを各第２単位
回路の補正手段に供給する。なお、この態様の具体例は第２実施形態として後述される。
【発明を実施するための最良の形態】
【００１９】
＜Ａ：第１実施形態＞
図１は、本発明の第１実施形態に係る電気光学装置を露光装置（光ヘッド）として利用
した画像形成装置の部分的な構成を示す斜視図である。同図に示すように、画像形成装置
は電気光学装置１０と集光性レンズアレイ１５と感光体ドラム１１０とを含む。電気光学
装置１０は、基板１２の表面に直線状に配列された多数の電気光学素子（図１においては
図示略）を含む。これらの電気光学素子は、用紙などの記録材に印刷されるべき画像の態
様に応じて選択的に発光する。感光体ドラム１１０は、主走査方向に延在する回転軸に支
持され、外周面を電気光学装置１０に対向させた状態で副走査方向（記録材が搬送される
方向）に回転する。
【００２０】
集光性レンズアレイ１５は電気光学装置１０と感光体ドラム１１０との間隙に配置され
る。この集光性レンズアレイ１５は、各々の光軸を電気光学装置１０に向けた姿勢でアレ
イ状に配列された多数の屈折率分布型レンズを含む。このような集光性レンズアレイ１５
としては、例えば日本板硝子株式会社から入手可能なＳＬＡ（セルフォック・レンズ・ア
レイ）がある（セルフォック／ＳＥＬＦＯＣは日本板硝子株式会社の登録商標）。
【００２１】
電気光学装置１０の各電気光学素子からの出射光は集光性レンズアレイ１５の各屈折率
分布型レンズを透過したうえで感光体ドラム１１０の表面に到達する。この露光によって
感光体ドラム１１０の表面には所望の画像に応じた潜像（静電潜像）が形成される。本実
施形態においては、横（主走査方向）ｎ列×縦（副走査方向）ｍ行にわたって画素がマト
リクス状に配列された潜像が形成される場合を想定する（ｍおよびｎの各々は２以上の自
然数）。
【００２２】
図２は、電気光学装置１０の電気的な構成を示すブロック図であり、図３は、電気光学
装置１０の駆動に利用される各信号の波形を例示するタイミングチャートである。図２に
示すように、電気光学装置１０は、選択回路２０とｎ個の単位回路Ｕ（Ｕ1〜Ｕn）とが基
板１２の表面に配置された構造となっている。単位回路Ｕ1〜Ｕnは主走査方向に沿って配
列する。各単位回路Ｕは電気光学素子Ｅを含む。電気光学装置１０には、画像形成装置の
制御装置（例えばＣＰＵやコントローラである。以下では「上位装置」という）から各種
の信号やデータが供給される。
【００２３】
図３に示すように、電気光学装置１０が動作する期間は第１期間Ｐaと第２期間Ｐbとに
区分される。第２期間Ｐbは、記録材に形成されるべき画像に応じて各電気光学素子Ｅの
輝度が実際に制御される期間である。換言すると、第２期間Ｐbは、その期間内における
各電気光学素子Ｅの発光に応じた画像が実際に記録材に形成されて出力される期間である
。一方、第１期間Ｐaは、各電気光学素子Ｅの階調の制御が停止している期間である。例
えば、電源の投入の直後に電気光学装置１０の各部の状態を初期化するための期間や、外
部に出力される画像に各電気光学素子Ｅの階調が反映されない期間（例えば複数の記録材
に画像を形成するときの間隔（紙間）の期間）が第１期間Ｐaに該当する。
【００２４】
図２の選択回路２０は、ｎ個の単位回路Ｕ1〜Ｕnを各々の配列の順番（すなわち単位回
路Ｕ1から単位回路Ｕnに向かう順番）に順次に選択する手段である。本実施形態の選択回
路２０は、単位回路Ｕ1〜Ｕnの総数に相当するｎビットのシフトレジスタであり、図３に
示すように、第１期間Ｐaおよび第２期間Ｐbの各々において、上位装置から供給されるク
ロック信号CLKに同期して所定のパルス信号（図示略）を順次にシフトすることで選択信
号Ｓ1〜Ｓnを出力する。したがって、図３に示すように、選択信号Ｓ1〜Ｓnはクロック信
号CLKの周期ごとに順番にハイレベルに遷移する。選択信号Ｓi（ｉは１≦ｉ≦ｎを満たす
整数）のハイレベルへの遷移は単位回路Ｕiの選択を意味する。
【００２５】
図３に示すように、クロック信号CLKの周期は第１期間Ｐaと第２期間Ｐbとで変化する
。すなわち、第１期間Ｐaにおけるクロック信号CLKの周期Ｔ1は第２期間Ｐbにおける周期
Ｔ2よりも長い。したがって、第１期間Ｐaにて各単位回路Ｕが選択される周期（Ｔ1）は
、第２期間Ｐbにて各単位回路Ｕが選択される周期（Ｔ2）よりも長い。
【００２６】
図２に示すように、各単位回路Ｕは、電気光学素子Ｅと駆動トランジスタＴdrとデータ
取得回路３０と経路制御回路４０と補正回路５０とを含む。電気光学素子Ｅは、駆動電流
Ｉdrに応じた階調となる素子である。本実施形態における電気光学素子Ｅは、有機ＥＬ（
ElectroLuminescent）材料で形成された発光層が陽極と陰極との間隙に介在するＯＬＥＤ
素子であり、発光層に供給される駆動電流Ｉdrの電流値に応じた輝度で発光する。単位回
路Ｕiにおける電気光学素子Ｅの階調は階調データＧiによって指定される。本実施形態に
おける階調データＧiは、第ｉ番目の電気光学素子Ｅに対して点灯（高階調）および消灯
（低階調）の何れかを指定する１ビットのデジタルデータである。
【００２７】
補正回路５０は、駆動電流Ｉdrの基準となる基準電流Ｉs[i]を生成する手段である（具
体的な構成は後述する）。駆動トランジスタＴdrは、補正回路５０が出力する基準電流Ｉ
s[i]と階調データＧiとに応じた電流値の駆動電流Ｉdrを生成する手段（すなわち基準電
流Ｉs[i]と階調データＧiとに基づいて電気光学素子Ｅを駆動する手段）として機能する
。本実施形態の駆動トランジスタＴdrは、補正回路５０と電気光学素子Ｅの陽極との間に
介在するｐチャネル型のトランジスタ（典型的には薄膜トランジスタ）である。駆動トラ
ンジスタＴdrは、階調データＧiに応じた電圧がゲートに供給されることでオン状態（低
抵抗状態）またはオフ状態（高抵抗状態）の何れかに制御される。駆動トランジスタＴdr
がオン状態に変化すると、基準電流Ｉs[i]が駆動電流Ｉdrとして供給されることで電気光
学素子Ｅは発光する。これに対し、駆動トランジスタＴdrがオフ状態に変化して基準電流
Ｉs[i]の経路が遮断されると、駆動電流Ｉdrの電流値はゼロとなって電気光学素子Ｅは消
灯する。
【００２８】
ところで、各単位回路Ｕにおける電気光学素子Ｅの特性には製造技術に起因した誤差が
発生する場合がある。このように各々の特性（例えば発光効率）が相違するにも拘わらず
総ての電気光学素子Ｅに同じ電流値の駆動電流Ｉdrが供給されるとすれば、各電気光学素
子Ｅの実際の輝度（階調）にはバラツキが発生する。以上のような輝度のバラツキを抑制
するために、本実施形態においては、各単位回路Ｕiの補正回路５０によって生成される
基準電流Ｉs[i]が、その単位回路Ｕiについて生成された補正データＡiに応じた電流値に
設定される。
【００２９】
ひとつの単位回路Ｕiに対応する補正データＡiは、最上位のビットａ1[i]と次位のビッ
トａ2[i]と最下位のビットａ3[i]とからなる３ビットのデジタルデータであり、各電気光
学素子Ｅの輝度を事前に測定した結果や電気光学装置１０の利用者による操作に応じて電
気光学素子Ｅごとに予め生成される。例えば、各々に同じ電流値の駆動電流Ｉdrを供給し
たうえで総ての電気光学素子Ｅの実際の輝度が測定され、その測定の結果（非補正時にお
ける輝度のバラツキ）に基づいて、総ての電気光学素子Ｅの輝度が均一化されるように単
位回路Ｕ1〜Ｕnについて補正データＡ1〜Ａnが決定される。
【００３０】
図２に示す信号線Ｌは、上位装置から端子Ｔdに入力されたデータを各単位回路Ｕに伝
送するための配線である。本実施形態における信号線Ｌは、補正データＡ1〜Ａnの伝送お
よび階調データＧ1〜Ｇnの伝送のために兼用される。
【００３１】
さらに詳述すると、第１期間Ｐaにおいては、図３に示すように、補正データＡ1〜Ａn
の各ビットが順次に上位装置から端子Ｔdを介して信号線Ｌに供給される。第１期間Ｐaは
３個の期間Ｐ1〜Ｐ3に区分される。期間Ｐ1においては、補正データＡ1〜Ａnの各々にお
ける最上位のビットａ1[1]〜ａ1[n]がこの順番でシリアルに信号線Ｌに供給される。同様
に、期間Ｐ2においては補正データＡ1〜Ａnにおける次位のビットａ2[1]〜ａ2[n]が信号
線Ｌに供給され、期間Ｐ3においては最下位のビットａ3[1]〜ａ3[n]が信号線Ｌに供給さ
れる。一方、第２期間Ｐbにおいては、階調データＧ1〜Ｇnが順次に信号線Ｌに供給され
る。補正データＡ1〜Ａnおよび階調データＧ1〜Ｇnは、クロック信号CLKに同期したタイ
ミングで信号線Ｌに供給される。クロック信号CLKの第１期間Ｐaにおける周期Ｔ1は第２
期間Ｐbにおける周期Ｔ2よりも長いから、補正データＡ1〜Ａnの各ビットの伝送周波数（
１／Ｔ1）は階調データＧ1〜Ｇnの伝送周波数（１／Ｔ2）よりも低い。
【００３２】
次に、図２および図４を参照して単位回路Ｕ1〜Ｕnの具体的な構成を説明する。なお、
総ての単位回路Ｕ1〜Ｕnの構成は同様であるから、以下ではひとつの単位回路Ｕiの構成
のみを説明して総ての単位回路Ｕ1〜Ｕnの説明を兼ねるものとする。
【００３３】
単位回路Ｕiのデータ取得回路３０は、第１期間Ｐaにて補正データＡiの各ビットａ1[i
]〜ａ3[i]を信号線Ｌから取得するとともに第２期間Ｐbにて階調データＧiを信号線Ｌか
ら取得する手段であり、図４に示すようにトランスミッションゲート３１とラッチ回路３
５とを含む。総ての単位回路Ｕ1〜Ｕnにおけるトランスミッションゲート３１の入力端子
は信号線Ｌに対して共通に接続される。
【００３４】
トランスミッションゲート３１は、信号線Ｌとラッチ回路３５との電気的な接続（導通
／非導通）を制御するスイッチであり、選択信号Ｓiがハイレベルを維持する期間（選択
信号Ｓiの論理レベルをインバータ３２によって反転した信号がローレベルを維持する期
間）にてオン状態となる。したがって、単位回路Ｕiのデータ取得回路３０には、選択信
号Ｓiがハイレベルを維持する期間にて信号線Ｌに供給されているデータ（第１期間Ｐaに
おける補正データＡiの各ビットａ1[i]〜ａ3[i]または第２期間Ｐbにおける階調データＧ
i）がトランスミッションゲート３１を介して取り込まれる。
【００３５】
ラッチ回路３５はクロックドインバータ３５１とインバータ３５２とを含む。クロック
ドインバータ３５１の出力端子にはトランスミッションゲート３１の出力端子とインバー
タ３５２の入力端子とが接続される。インバータ３５２の出力端子には、クロックドイン
バータ３５１の入力端子と経路制御回路４０とが接続される。選択信号Ｓiがハイレベル
を維持する期間にてクロックドインバータ３５１はハイインピーダンス状態となる。一方
、選択信号Ｓiがローレベルに遷移するとクロックドインバータ３５１はインバータとし
て機能する。したがって、選択信号Ｓiがローレベルを維持する期間においては、その直
前にトランスミッションゲート３１によって取得されたデータがラッチ回路３５に保持さ
れるとともに経路制御回路４０に出力される。さらに詳述すると、第１期間Ｐaにおいて
は、選択信号Ｓiがローレベルに遷移するタイミングにて補正データＡiの各ビットａ1[i]
〜ａ3[i]が順番にラッチされる。一方、第２期間Ｐbにおいては、選択信号Ｓiがローレベ
ルに遷移するたびに階調データＧiが順番にラッチされる。
【００３６】
経路制御回路４０は、データ取得回路３０が信号線Ｌから取得したデータの出力先を経
路制御信号WRTと反転経路制御信号WRTXとに応じて変化させる手段である。図３に示すよ
うに、経路制御信号WRTは、第１期間Ｐaにてハイレベルを維持するとともに第２期間Ｐb
にてローレベルを維持する信号である。反転経路制御信号WRTXは、経路制御信号WRTの論
理レベルを反転させた信号である。
【００３７】
図４に示すように、経路制御回路４０は、２個のトランスミッションゲート４２・４３
とｎチャネル型のトランジスタ４５とｐチャネル型のトランジスタ４６とを含む。トラン
スミッションゲート４２は、データ取得回路３０と補正回路５０（補正データ線ＬＡ）と
の電気的な接続を制御するスイッチである。一方、トランスミッションゲート４３は、デ
ータ取得回路３０と駆動トランジスタＴdrとの電気的な接続を制御するスイッチである。
トランスミッションゲート４２とトランスミッションゲート４３とは経路制御信号WRTお
よび反転経路制御信号WRTXに応じて択一的にオン状態となる。すなわち、経路制御信号WR
Tがハイレベルを維持する第１期間Ｐaにおいては、トランスミッションゲート４２がオン
状態を維持するとともにトランスミッションゲート４３がオフ状態を維持する。これに対
し、経路制御信号WRTがローレベルを維持する第２期間Ｐbにおいては、トランスミッショ
ンゲート４２がオフ状態を維持するとともにトランスミッションゲート４３がオン状態を
維持する。
【００３８】
トランジスタ４５は、接地電位Ｇndと補正データ線ＬＡとの電気的な接続を制御するス
イッチであり、反転経路制御信号WRTXがハイレベルとなる第２期間Ｐbにてオン状態とな
る。トランジスタ４６は、電源電位Ｖddと駆動トランジスタＴdrのゲートとの電気的な接
続を制御するスイッチであり、反転経路制御信号WRTXがローレベルとなる第１期間Ｐaに
てオン状態となる。
【００３９】
以上の構成によって、第１期間Ｐaにおいては、データ取得回路３０から出力される補
正データＡiの各ビットａ1[i]〜ａ3[i]がトランスミッションゲート４２を経由して順次
に補正データ線ＬＡに供給される一方、電源電位Ｖddがトランジスタ４６を介してゲート
に供給されることで駆動トランジスタＴdrはオフ状態となる。したがって、第１期間Ｐa
においては総ての電気光学素子Ｅが消灯する。これに対し、第２期間Ｐbにおいては、ト
ランジスタ４５がオン状態に遷移することで補正データ線ＬＡの電位は接地電位Ｇndに維
持される一方、データ取得回路３０から出力される階調データＧiに応じた電位がトラン
スミッションゲート４３を介して駆動トランジスタＴdrのゲートに供給される。したがっ
て、第２期間Ｐbにおいては各電気光学素子Ｅの階調（点灯／非点灯）が階調データＧiに
応じて制御される。
【００４０】
図４に示すように、補正回路５０は、補正データＡiのビット数に相当する３個の電流
生成部Ｃ（Ｃ1〜Ｃ3）とひとつの補正データ線ＬＡとを含む。電流生成部Ｃ1〜Ｃ3は、補
正データ線ＬＡを介して経路制御回路４０（より詳細にはトランスミッションゲート４２
の出力端子）に共通に接続される。第ｋ番目（ｋは１≦ｋ≦３を満たす整数）の電流生成
部Ｃkは、補正データＡiのビットａk[i]を補正データ線ＬＡから取得して保持する保持回
路５２と、保持回路５２に保持されたビットａk[i]に応じた電流Ｉkを生成する電流源ト
ランジスタ５４とを含む。電流生成部Ｃ1〜Ｃ3の電流源トランジスタ５４は、各々のソー
スが電源電位Ｖddに接続されるとともに各々のドレインが駆動トランジスタＴdrのソース
に接続されたｐチャネル型のトランジスタである。
【００４１】
図５は、電流生成部Ｃk（Ｃ1〜Ｃ3）の構成を示すブロック図である。同図に示すよう
に、電流生成部Ｃkの保持回路５２は、トランスミッションゲート６１とインバータ６２
とラッチ回路６４とスイッチ６６とを含む。３個の電流生成部Ｃ1〜Ｃ3の各々におけるト
ランスミッションゲート６１の入力端子は、補正データ線ＬＡに対して共通に接続される
。また、単位回路Ｕ1〜Ｕnの電流生成部Ｃkにおけるトランスミッションゲート６１およ
びラッチ回路６４には書込信号ＭＳkが共通に供給される。書込信号ＭＳ1〜ＭＳ3は、単
位回路Ｕ1〜Ｕnの各々における３個の電流生成部Ｃ1〜Ｃ3の何れかを択一的に選択するた
めの信号である。
【００４２】
図３に示すように、書込信号ＭＳ1〜ＭＳ3は、第１期間Ｐaにて順番にハイレベルに遷
移する。すなわち、書込信号ＭＳ1は、補正データＡ1〜Ａnの各々における最上位のビッ
トａ1[1]〜ａ1[n]が信号線Ｌに供給される期間Ｐ1でハイレベルとなる。同様に、書込信
号ＭＳ2は、次位のビットａ2[1]〜ａ2[n]が信号線Ｌに伝送される期間Ｐ2にてハイレベル
となり、書込信号ＭＳ3は期間Ｐ3にてハイレベルとなる。一方、第２期間Ｐbにおいて書
込信号ＭＳ1〜ＭＳ3はローレベルを維持する。
【００４３】
図５のトランスミッションゲート６１は、補正データ線ＬＡとラッチ回路６４との電気
的な接続を制御するスイッチであり、書込信号ＭＳkがハイレベルを維持する期間（書込
信号ＭＳkの論理レベルをインバータ６２によって反転させた信号がローレベルを維持す
る期間）Ｐkにてオン状態となる。一方、ラッチ回路６４は、データ取得回路３０のラッ
チ回路３５と同様に、クロックドインバータ６４１とインバータ６４２とを含む。書込信
号ＭＳkがローレベルを維持する期間においてクロックドインバータ６４１はインバータ
として機能するから、ラッチ回路６４は、書込信号ＭＳkがローレベルに遷移する直前の
トランスミッションゲート６１の出力（ビットａk[i]）を保持する。
【００４４】
以上のように、選択信号Ｓiによってデータ取得回路３０が信号線Ｌから取得した補正
データＡiのビットａk[i]は、ハイレベルの書込信号ＭＳkによってオン状態となったトラ
ンスミッションゲート６１を介して補正データ線ＬＡから電流生成部Ｃkに取り込まれ、
書込信号ＭＳkがローレベルに遷移した時点（期間Ｐkの終点）からラッチ回路６４によっ
て保持される。この動作が期間Ｐ1〜Ｐ3の各々において総ての単位回路Ｕ1〜Ｕnによって
実行されると、各単位回路Ｕiには３ビットの補正データＡiが保持される。この補正デー
タＡiは第１期間Ｐaの経過後の第２期間Ｐbにおいても保持される。
【００４５】
スイッチ６６は、ラッチ回路６４に保持されたビットａk[i]に応じて電流源トランジス
タ５４をオン状態またはオフ状態に制御する手段であり、トランスミッションゲート６６
１およびトランスミッションゲート６６２とを含む。ビットａk[i]が“１”である場合に
は、トランスミッションゲート６６１がオン状態を維持するとともにトランスミッション
ゲート６６２がオフ状態を維持する。したがって、オン電位Ｖonがトランスミッションゲ
ート６６１を介してゲートに供給されることで電流源トランジスタ５４はオン状態に変化
する。これによって電流源トランジスタ５４には電流Ｉkが流れる。一方、ビットａk[i]
が“０”である場合、トランスミッションゲート６６１がオフ状態を維持するとともにト
ランスミッションゲート６６２がオン状態に変化する。したがって、電流源トランジスタ
５４のゲートの電位はオフ電位Ｖoffに設定される。これによって電流源トランジスタ５
４はオフ状態に遷移して電流Ｉkは遮断される。
【００４６】
以上のように、３個の電流源トランジスタ５４の各々が補正データＡの各ビットに応じ
て選択的にオン状態とされる。そして、オン状態となった１以上の電流源トランジスタ５
４に流れる電流Ｉkの加算によって基準電流Ｉs[i]が生成される。ひとつの単位回路Ｕに
含まれる３個の電流源トランジスタ５４の特性は、各々がオン状態に遷移した場合に流れ
る電流Ｉ1〜Ｉ3の電流値の相対比が「Ｉ1：Ｉ2：Ｉ3＝４：２：１」となるように選定さ
れている。したがって、基準電流Ｉs[i]は単位回路Ｕiの補正データＡに応じて７段階の
何れかに設定される。すなわち、補正回路５０は、補正データＡiに応じた電流値の基準
電流Ｉs[i]を生成するＤＡＣ（Digital to Analog Converter）として機能する。
【００４７】
なお、ここでは電流源トランジスタ５４の各々の特性を相違させた構成を例示したが、
同じ特性のトランジスタを重み値に応じた個数だけ並列に配置することによっても、電流
Ｉ1〜Ｉ3の各々を所望の重み値に応じた電流値とすることができる。例えば、電流生成部
Ｃ2の電流源トランジスタ５４の代わりに、電流生成部Ｃ3の電流源トランジスタ５４と同
じ特性の２個のトランジスタを並列に配置し、電流生成部Ｃ1の電流源トランジスタ５４
の代わりに、電流生成部Ｃ3の電流源トランジスタ５４と同じ特性の４個のトランジスタ
を並列に配置した構成によっても、電流Ｉ1〜Ｉ3の相対比を「Ｉ1：Ｉ2：Ｉ3＝４：２：
１」に設定することができる。
【００４８】
以上の構成によれば、単位回路Ｕiの電気光学素子Ｅの階調を決定する駆動電流Ｉdrの
電流値が、補正データＡiに応じた基準電流Ｉs[i]と階調データＧiとに基づいて制御され
る。したがって、各電気光学素子Ｅの特性や単位回路Ｕ1〜Ｕnを構成する各要素（特に駆
動トランジスタＴdr）の特性にバラツキがある場合であっても、補正データＡ1〜Ａnを適
宜に選定することによって各電気光学素子Ｅの階調のバラツキを抑制することができる。
そして、補正データＡiに応じた基準電流Ｉs[i]を生成する補正回路５０が各単位回路Ｕ
に設置されるから、補正データＡiに基づいて階調データＧiを補正する回路は原理的に不
要である。したがって、本実施形態によれば、電気光学装置１０の周辺回路の規模を縮小
することができる。
【００４９】
さらに、本実施形態においては、ひとつの信号線Ｌが補正データＡ1〜Ａnの伝送と階調
データＧ1〜Ｇnの伝送とに兼用されるから、補正データＡ1〜Ａnを伝送する配線と階調デ
ータＧ1〜Ｇnを伝送する配線とが別個に形成された構成と比較して種々の利点がある。例
えば、上位装置から電気光学装置１０にデータを出力する処理を補正データＡ1〜Ａnと階
調データＧ1〜Ｇnとで区別する必要がないから、上位装置における処理の負荷が軽減され
るという利点がある。また、補正データＡ1〜Ａnと階調データＧ1〜Ｇnとが共通の端子Ｔ
dから入力されるから、補正データＡ1〜Ａnと階調データＧ1〜Ｇnとが別個の端子に入力
される構成と比較して端子数を削減することができる。したがって、各端子と外部との接
続に不具合が発生する可能性が低減され、これによって電気光学装置１０の信頼性を向上
させることができる。ここで、画像形成装置においては記録材の搬送や感光体ドラム１１
０の駆動などに際して電気光学装置１０に振動が発生するから、電気光学装置１０のうち
外部との接続の箇所が破損し易いという事情がある。したがって、端子数を削減できる本
実施形態の構成は、画像形成装置に利用される電気光学装置１０に特に好適である。
【００５０】
ところで、補正データＡiの出力先である補正回路５０は階調データＧiの出力先（駆動
トランジスタＴdr）と比較して回路の規模が大きい。さらに、補正データＡiが伝送され
る補正データ線ＬＡの長さは階調データＧiが伝送される経路よりも長い。したがって、
各単位回路Ｕiに対する補正データＡiの取込みや補正回路５０への供給といった動作が階
調データＧiと同等の速度で実行されるとすれば、補正回路５０のラッチ回路６４に補正
データＡiの各ビットを確実に格納できない場合が生じ得る。本実施形態においては、補
正データＡ1〜Ａnを経路制御回路４０から補正回路５０に出力する周期Ｔ1が階調データ
Ｇ1〜Ｇnの出力の周期Ｔ2よりも長時間に設定されるから、各ビットａ1[i]〜ａ3[i]を補
正回路５０に取り込むための時間が充分に確保される。したがって、補正データＡ1〜Ａn
を正確かつ確実に補正回路５０に保持させることができる。
【００５１】
＜Ｂ：第２実施形態＞
次に、本発明の第２実施形態について説明する。本実施形態のうち第１実施形態と共通
する要素については以上と同じ符号を付してその詳細な説明を適宜に省略する。
【００５２】
図６は、本実施形態に係る電気光学装置１０の構成を示すブロック図であり、図７は、
この電気光学装置１０の各部における信号の波形を示すタイミングチャートである。図６
に示すように、電気光学装置１０は、主走査方向に沿って配列されたｎ個の単位回路Ｕと
、これらを挟む各位置に配置された第１選択回路２１および第２選択回路２２と、第１信
号線Ｌaおよび第２信号線Ｌbとを含む。以下では、図６の左方からみて奇数番目の単位回
路Ｕ（以下「第１単位回路Ｕa」という）とその右側に隣接する偶数番目の単位回路Ｕ（
以下「第２単位回路Ｕb」という）との対を「回路部ＵＢ（ＵＢ1〜ＵＢN）」と表記する
（N＝n/2）。
【００５３】
第１選択回路２１は、第１期間Ｐaおよび第２期間Ｐbの各々において各第１単位回路Ｕ
aを順次に選択する手段である。本実施形態の第１選択回路２１は、図７に示すように、
各第１単位回路Ｕaに出力される選択信号ＳＡ1〜ＳＡNをクロック信号CLKaの１周期ごと
に順番にハイレベルに設定する。同様に、第２選択回路２２は、クロック信号CLKbの１周
期ごとに順番にハイレベルとなる選択信号ＳＢ1〜ＳＢNを各第２単位回路Ｕbに出力する
ことで、第１期間Ｐaおよび第２期間Ｐbの各々にて各第２単位回路Ｕbを順次に選択する
。クロック信号CLKaとクロック信号CLKbとは同波形の信号である。したがって、図７に示
すように、選択信号ＳＡj（ｊは１≦ｊ≦Nを満たす整数）と選択信号ＳＢjとは同波形と
なる。すなわち、第１選択回路２１が回路部ＵＢjの第１単位回路Ｕaを選択するタイミン
グにおいて第２選択回路２２は同じ回路部ＵＢjの第２単位回路Ｕbを選択する。また、ク
ロック信号CLKaおよびクロック信号CLKbは、第１実施形態と同様に、第１期間Ｐaにおけ
る周期Ｔ1が第２期間Ｐbにおける周期Ｔ2よりも長い。なお、図６においてはクロック信
号CLKaとクロック信号CLKbとが別個の端子に入力される構成を例示したが、ひとつの端子
に入力されるクロック信号（例えば図７のクロック信号CLKa）が第１選択回路２１および
第２選択回路２２の双方に供給される構成としてもよい。
【００５４】
図７に示すように、第１信号線Ｌaには、各第２単位回路Ｕbの補正データＡと各第１単
位回路Ｕaの階調データＧとがシリアルに供給される。さらに詳述すると、第１期間Ｐaに
おいては、第２単位回路Ｕbの補正データＡ（Ａ2，Ａ4，……，Ａn）の各ビットが、クロ
ック信号CLKaの周期Ｔ1ごとに第１信号線Ｌaに供給される。また、第２期間Ｐbにおいて
は、第１単位回路Ｕaの階調データＧ（Ｇ1，Ｇ3，……，Ｇn-1）が、クロック信号CLKaの
周期Ｔ2ごとに第１信号線Ｌaに供給される。また、第２信号線Ｌbには、各第１単位回路
Ｕaの補正データＡと各第２単位回路Ｕbの階調データＧとがシリアルに供給される。すな
わち、第１期間Ｐaにおいては、第１単位回路Ｕaの補正データＡ（Ａ1，Ａ3，……，Ａn-
1）の各ビットが周期Ｔ1で第２信号線Ｌbに供給され、第２期間Ｐbにおいては、第２単位
回路Ｕbの階調データＧ（Ｇ2，Ｇ4，……，Ｇn）が周期Ｔ2で第２信号線Ｌbに供給される
。
【００５５】
単位回路Ｕ（第１単位回路Ｕaおよび第２単位回路Ｕbの各々）は、電気光学素子Ｅと駆
動トランジスタＴdrとデータ取得回路３０と経路制御回路４０と補正回路５０とを含む。
これらの各部の具体的な構成は第１実施形態と同様である。ただし、各第１単位回路Ｕa
のデータ取得回路３０および経路制御回路４０と各第２単位回路Ｕbの補正回路５０とは
ｎ個の電気光学素子Ｅの配列を挟んで第１選択回路２１側に位置するのに対し、各第２単
位回路Ｕbのデータ取得回路３０および経路制御回路４０と各第１単位回路Ｕaの補正回路
５０とは電気光学素子Ｅの配列を挟んで第２選択回路２２側に位置する。したがって、回
路部ＵＢjに属する第１単位回路Ｕaの経路制御回路４０は、同じ回路部ＵＢjに属する第
２単位回路Ｕbの補正回路５０からみて当該第２単位回路Ｕbの電気光学素子Ｅとは反対側
に配置される。また、回路部ＵＢjに属する第２単位回路Ｕbの経路制御回路４０は、この
回路部ＵＢjに属する第１単位回路Ｕaの補正回路５０からみて当該第１単位回路Ｕaの電
気光学素子Ｅとは反対側に配置される。
【００５６】
回路部ＵＢjに属する第１単位回路Ｕaのデータ取得回路３０は、第１選択回路２１から
供給される選択信号ＳＡjに応じて第１信号線Ｌaから順次にデータを取得する。すなわち
、回路部ＵＢ1〜ＵＢNの第１単位回路Ｕaにおけるデータ取得回路３０は、第１期間Ｐaに
おいて第２単位回路Ｕbの補正データＡの各ビット（ａ1[2]，ａ1[4]，……，ａ1[n]，ａ2
[2]，ａ2[4]，……，ａ2[n]，ａ3[2]，ａ3[4]，……，ａ3[n]）を周期Ｔ1で順番に取得し
、第２期間Ｐbにおいては第１単位回路Ｕaの階調データＧ（Ｇ1，Ｇ3，……，Ｇn-1）を
周期Ｔ2で順番に取得する。
【００５７】
一方、回路部ＵＢjにおける第２単位回路Ｕbのデータ取得回路３０は、第２選択回路２
２から供給される選択信号ＳＢjに応じて第２信号線Ｌbから順次にデータを取得する。す
なわち、回路部ＵＢ1〜ＵＢNの第２単位回路Ｕbにおけるデータ取得回路３０は、第１単
位回路Ｕaの補正データＡの各ビット（ａ1[1]，ａ1[3]，……，ａ1[n-1]，ａ2[1]，ａ2[3
]，……，ａ2[n-1]，ａ3[1]，ａ3[3]，……，ａ3[n-1]）を第１期間Ｐaにて順番に取得し
、第２単位回路Ｕbの階調データＧ（Ｇ2，Ｇ4，……，Ｇn）を第２期間Ｐbにて順番に取
得する。
【００５８】
また、回路部ＵＢjに属する第１単位回路Ｕaの経路制御回路４０は、その前段のデータ
取得回路３０が取得したデータの出力先を、第１単位回路Ｕaの駆動トランジスタＴdrと
回路部ＵＢjに属する第２単位回路Ｕbの補正回路５０とで切り替える。すなわち、第１単
位回路Ｕaの経路制御回路４０は、第１期間Ｐaに供給される補正データ（Ａ2，Ａ4，……
，Ａn）の各ビットを回路部ＵＢjの第２単位回路Ｕbの補正回路５０に対して順次に出力
し、第２期間Ｐbに供給される階調データＧ（Ｇ1，Ｇ3，……，Ｇn-1）に応じた電位を第
１単位回路Ｕaの駆動トランジスタＴdrのゲートに供給する。
【００５９】
同様に、回路部ＵＢjに属する第２単位回路Ｕbの経路制御回路４０は、データ取得回路
３０から供給されるデータの出力先を、第２単位回路Ｕbの駆動トランジスタＴdrと回路
部ＵＢjに属する第１単位回路Ｕaの補正回路５０とで切り替える。すなわち、第２単位回
路Ｕbの経路制御回路４０は、第１期間Ｐaに供給される補正データＡ（Ａ1，Ａ3，……，
Ａn-1）の各ビットを回路部ＵＢjの第１単位回路Ｕaの補正回路５０に対して順次に出力
し、第２期間Ｐbに供給される階調データＧ（Ｇ2，Ｇ4，……，Ｇn）に応じた電位を第２
単位回路Ｕbの駆動トランジスタＴdrのゲートに供給する。以上の構成においても、各単
位回路Ｕの補正回路５０および駆動トランジスタＴdrは第１実施形態と同様に動作する。
本実施形態においても第１実施形態と同様の効果が奏される。
【００６０】
ところで、第１実施形態の電気光学装置１０においては、図２に示したように、各単位
回路Ｕの補正回路５０と経路制御回路４０との間隙に電気光学素子Ｅが介在するから、主
走査方向に沿った電気光学素子Ｅの配列を横断するように補正データ線ＬＡを形成する必
要がある。これに対し、本実施形態においては、回路部ＵＢjに属する第１単位回路Ｕaの
補正回路５０とこれに補正データＡを供給する第２単位回路Ｕb（回路部ＵＢj）の経路制
御回路４０との間隙に電気光学素子Ｅや駆動トランジスタＴdrが介在しない。第２単位回
路Ｕbの補正回路５０と第１単位回路Ｕaの経路制御回路４０との間隙についても同様であ
る。したがって、電気光学素子Ｅの配列を横断するように補正データ線ＬＡを形成する必
要はない。このように電気光学素子Ｅの周辺の配線が削減されるから、本実施形態によれ
ば、各電気光学素子Ｅの面積を第１実施形態と比較して拡大することが可能である。また
、各電気光学素子Ｅの面積を拡大できるということは、所定の発光強度を得るために電気
光学素子Ｅに供給すべき電気エネルギ（電流値や電流密度）が低減されることを意味する
。そして、電気光学素子Ｅに供給される電気エネルギを低減することで、消費電力の抑制
や電気光学素子Ｅの長寿命化といった効果を得ることができる。
【００６１】
また、本実施形態においては、各第１単位回路Ｕaに対するデータの供給と各第２単位
回路Ｕbに対するデータの供給とが並行して実施されるから、総ての単位回路Ｕに補正デ
ータＡや階調データＧを供給するために必要となる時間長が第１実施形態の約半分に短縮
されるという利点もある。なお、第１実施形態においては各単位回路Ｕがひとつの選択回
路２０によって選択されるのに対し、本実施形態においては２個の選択回路（第１選択回
路２１および第２選択回路２２）２０が必要となる。しかしながら、第１選択回路２１お
よび第２選択回路２２の各々の規模は第１実施形態の選択回路２０の約半分となる（例え
ばｎ／２ビットのシフトレジスタで足りる）から、電気光学装置１０の全体としてみれば
、各単位回路Ｕの選択に関わる回路の規模が第１実施形態と比較して大幅に肥大化すると
いうことはない。
【００６２】
＜Ｃ：第３実施形態＞
次に、本発明の第３実施形態について説明する。
第１実施形態においてはｎ個の単位回路Ｕの各々が選択回路２０によって選択される構
成を例示したが、データの供給先となる単位回路Ｕを選択するための方法や構成は任意で
ある。本実施形態においては、選択回路２０が基板１２に配置されず、上位装置から供給
される信号によって各単位回路Ｕが順番に選択される構成となっている。なお、本実施形
態のうち第１実施形態と共通する要素については同一の符号を付してその詳細な説明を適
宜に省略する。
【００６３】
図８は、本実施形態に係る電気光学装置１０の構成を示すブロック図であり、図９は、
各部で利用される信号の波形を示すタイミングチャートである。図８に示すように、ｎ個
の単位回路Ｕ1〜Ｕnは３個を単位としてＭ個（Ｍ＝n/3）のブロックＢ1〜ＢMに区分され
る。基板１２の面上には、各々が別個のブロックに対応するＭ本の信号線Ｌ1〜ＬMが形成
される。ひとつのブロックＢh（ｈは１≦ｈ≦Ｍを満たす整数）に対応する信号線Ｌhは、
そのブロックＢhに属する３個の単位回路Ｕの各々におけるデータ取得回路３０（トラン
スミッションゲート３１の入力端子）に対して共通に接続される。
【００６４】
また、ブロックＢ1〜ＢMの各々に属する第１番目の単位回路Ｕ（Ｕ1，Ｕ4，……，Ｕn-
2）には上位装置から選択信号SEL1が供給される。同様に、ブロックＢ1〜ＢMの第２番目
の単位回路Ｕ（Ｕ2，Ｕ5，……，Ｕn-1）には選択信号SEL2が供給され、第３番目の各単
位回路Ｕ（Ｕ3，Ｕ6，……，Ｕn）には選択信号SEL3が供給される。図９に示すように、
選択信号SEL1〜SEL3は、所定の周期（第１期間Ｐaにおいては周期Ｔ1、第２期間Ｐbにお
いては周期Ｔ2）で順番にアクティブレベルとなる。
【００６５】
信号線Ｌhには、ブロックＢhの各単位回路Ｕに対応した補正データＡと階調データＧと
が上位装置から供給される。さらに詳述すると、図９に示すように、第１期間Ｐaにおい
ては、ブロックＢhの各単位回路Ｕに対応した補正データＡの各ビットが周期Ｔ1で順次に
信号線Ｌhに供給される。また、第２期間Ｐbにおいては、ブロックＢhの各単位回路Ｕに
対応した階調データＧが周期Ｔ2で順次に信号線Ｌhに供給される。
【００６６】
以上の動作によって、第１期間Ｐaにおいては、選択信号SEL1がハイレベルに遷移する
と各ブロックＢhの第１番目の単位回路Ｕ（Ｕ1，Ｕ4，……，Ｕn-2）に補正データＡのビ
ットａkが並列に取り込まれる。同様に、選択信号SEL2がハイレベルに遷移すると第２番
目の各単位回路Ｕ（Ｕ2，Ｕ5，……，Ｕn-1）にビットａkが取り込まれ、選択信号SEL3が
ハイレベルに遷移すると第３番目の各単位回路Ｕ（Ｕ3，Ｕ6，……，Ｕn）にビットａkが
取り込まれる。以上の動作が期間Ｐ1〜期間Ｐ3の各々にて実行されると、第１実施形態と
同様に、補正データＡ1〜Ａnが単位回路Ｕ1〜Ｕnに保持される。
【００６７】
一方、第２期間Ｐbにおいては、選択信号SEL1がハイレベルに遷移するとブロックＢ1〜
ＢMの第１番目の各単位回路Ｕに階調データＧ（Ｇ1，Ｇ4，……，Ｇn-2）が取り込まれる
。同様に、選択信号SEL2がハイレベルに遷移すると第２番目の各単位回路Ｕに階調データ
Ｇ（Ｇ2，Ｇ5，……，Ｇn-1）が取り込まれ、選択信号SEL3がハイレベルに遷移すると第
３番目の各単位回路Ｕに階調データＧ（Ｇ3，Ｇ6，……，Ｇn）が取り込まれる。以上の
動作によって、第１実施形態と同様に、単位回路Ｕ1〜Ｕnの電気光学素子Ｅは階調データ
Ｇ1〜Ｇnに応じた階調に駆動される。
【００６８】
本実施形態においても第１実施形態と同様の作用および効果が奏される。さらに、本実
施形態においては、ブロックＢ1〜ＢMの各々に属するひとつの単位回路Ｕに対して並列に
データが取り込まれるから、総ての単位回路Ｕに補正データＡや階調データＧを供給する
ために必要となる時間長が第１実施形態よりも短縮されるという利点がある。
【００６９】
＜Ｄ：変形例＞
以上の各形態には様々な変形を加えることができる。具体的な変形の態様を例示すれば
以下の通りである。なお、以下の各態様を適宜に組み合わせてもよい。
【００７０】
（１）変形例１  
補正データＡのビット数が以上の例示に限定されないことはもちろんである。したがっ
て、ひとつの補正回路５０を構成する電流生成部Ｃkの個数は以上の例示から適宜に変更
される。また、以上の各形態においては１ビットの階調データＧによって電気光学素子Ｅ
の階調が２値的に制御される構成を例示したが、階調データＧは２ビット以上であっても
よい。この構成においては、駆動トランジスタＴdrに流れる駆動電流Ｉdrが階調データＧ
に応じて段階的に制御され、これによって電気光学素子Ｅの階調が多値的に（３以上の階
調の何れかに）制御される。また、第１実施形態における信号線Ｌや第２実施形態におけ
る信号線Ｌaおよび信号線Ｌbに代えて、上位装置からシリアルに出力される信号（例えば
画像信号）を相展開（シリアル−パラレル変換）した各系統の信号が供給される複数の信
号線が配置された構成も採用される。
【００７１】
（２）変形例２  
以上の各形態においては電気光学素子ＥとしてＯＬＥＤ素子が採用された構成を例示し
たが、これ以外の電気光学素子Ｅを利用した様々な電気光学装置１０にも本発明は適用さ
れる。例えば、無機ＥＬ素子を利用した表示装置、電界放出ディスプレイ（ＦＥＤ：Fiel
d  Emission  Display）、表面導電型電子放出ディスプレイ（ＳＥＤ：Surface-conducti
on  Electron-emitter  Display）、弾道電子放出ディスプレイ（ＢＳＤ：Ballistic  el
ectron  Surface  emitting  Display）、発光ダイオードを利用した表示装置にも以上の
各形態と同様に本発明を適用することができる。
【００７２】
＜Ｅ：電子機器＞
次に、図１０を参照して、本発明に係る電子機器のひとつの態様である画像形成装置に
ついて説明する。この画像形成装置は、ベルト中間転写体方式を利用したタンデム型のフ
ルカラー画像形成装置である。
【００７３】
この画像形成装置では、各々が同様の構成である４個の電気光学装置１０Ｋ，１０Ｃ，
１０Ｍ，１０Ｙが、各々の構成が同様である４個の感光体ドラム（像担持体）１１０Ｋ，
１１０Ｃ，１１０Ｍ，１１０Ｙの像形成面１１０Ａに対向する位置にそれぞれ配置されて
いる。電気光学装置１０Ｋ，１０Ｃ，１０Ｍ，１０Ｙは、以上の各形態に係る電気光学装
置１０と同様の構成である。
【００７４】
図１０に示すように、この画像形成装置には、駆動ローラ１２１と従動ローラ１２２と
が設けられており、これらのローラ１２１，１２２には無端の中間転写ベルト１２０が巻
回されて、矢印に示すようにローラ１２１，１２２の周囲を回転させられる。図示しない
が、中間転写ベルト１２０に張力を与えるテンションローラなどの張力付与手段を設けて
もよい。
【００７５】
この中間転写ベルト１２０の周囲には、外周面に感光層を有する４個の感光体ドラム１
１０Ｋ，１１０Ｃ，１１０Ｍ，１１０Ｙが互いに所定の間隔をおいて配置される。添字「
Ｋ」，「Ｃ」，「Ｍ」，「Ｙ」はそれぞれ黒、シアン、マゼンタ、イエローの顕像を形成
するために使用されることを意味している。他の部材についても同様である。感光体ドラ
ム１１０Ｋ，１１０Ｃ，１１０Ｍ，１１０Ｙは、中間転写ベルト１２０の駆動と同期して
回転駆動される。
【００７６】
各感光体ドラム１１０（Ｋ，Ｃ，Ｍ，Ｙ）の周囲には、コロナ帯電器１１１（Ｋ，Ｃ，
Ｍ，Ｙ）と、電気光学装置１０（Ｋ，Ｃ，Ｍ，Ｙ）と、現像器１１４（Ｋ，Ｃ，Ｍ，Ｙ）
とが配置されている。コロナ帯電器１１１（Ｋ，Ｃ，Ｍ，Ｙ）は、これに対応する感光体
ドラム１１０（Ｋ，Ｃ，Ｍ，Ｙ）の像形成面１１０Ａ（外周面）を一様に帯電させる。電
気光学装置１０（Ｋ，Ｃ，Ｍ，Ｙ）は、各感光体ドラムの帯電した像形成面１１０Ａに静
電潜像を書き込む。各電気光学装置１０（Ｋ，Ｃ，Ｍ，Ｙ）においては、感光体ドラム１
１０（Ｋ，Ｃ，Ｍ，Ｙ）の母線（主走査方向）に沿って複数の電気光学素子子Ｅが配列す
る。静電潜像の書き込みは、複数の電気光学素子Ｅによって感光体ドラム１１０（Ｋ，Ｃ
，Ｍ，Ｙ）に光を照射することにより行う。現像器１１４（Ｋ，Ｃ，Ｍ，Ｙ）は、静電潜
像に現像剤としてのトナーを付着させることにより感光体ドラム１１０（Ｋ，Ｃ，Ｍ，Ｙ
）に顕像（すなわち可視像）を形成する。
【００７７】
このような４色の単色顕像形成ステーションにより形成された黒、シアン、マゼンタ、
イエローの各顕像は、中間転写ベルト１２０上に順次に一次転写されることによって中間
転写ベルト１２０上で重ね合わされ、この結果としてフルカラーの顕像が形成される。中
間転写ベルト１２０の内側には、４つの一次転写コロトロン（転写器）１１２（Ｋ，Ｃ，
Ｍ，Ｙ）が配置されている。一次転写コロトロン１１２（Ｋ，Ｃ，Ｍ，Ｙ）は、感光体ド
ラム１１０（Ｋ，Ｃ，Ｍ，Ｙ）の近傍にそれぞれ配置されており、感光体ドラム１１０（
Ｋ，Ｃ，Ｍ，Ｙ）から顕像を静電的に吸引することにより、感光体ドラムと一次転写コロ
トロンの間を通過する中間転写ベルト１２０に顕像を転写する。
【００７８】
最終的に画像を形成する対象（記録材）としてのシート１０２は、ピックアップローラ
１０３によって、給紙カセット１０１から１枚ずつ給送されて、駆動ローラ１２１に接し
た中間転写ベルト１２０と二次転写ローラ１２６の間のニップに送られる。中間転写ベル
ト１２０上のフルカラーの顕像は、二次転写ローラ１２６によってシート１０２の片面に
一括して二次転写され、定着部である定着ローラ対１２７を通ることでシート１０２上に
定着される。この後、シート１０２は、排紙ローラ対１２８によって、装置上部に形成さ
れた排紙カセット上へ排出される。
【００７９】
次に、図１１を参照して、本発明に係る画像形成装置の他の形態について説明する。こ
の画像形成装置は、ベルト中間転写体方式を利用したロータリ現像式のフルカラー画像形
成装置である。図１１に示すように、感光体ドラム１１０の周囲には、コロナ帯電器１６
８と、ロータリ式の現像ユニット１６１と、以上の実施形態に係る電気光学装置１０と、
中間転写ベルト１６９とが設けられている。
【００８０】
コロナ帯電器１６８は、感光体ドラム１１０の外周面を一様に帯電させる。電気光学装
置１０は、感光体ドラム１１０の帯電させられた像形成面１１０Ａ（外周面）に静電潜像
を書き込む。この電気光学装置１０においては、感光体ドラム１１０の母線（主走査方向
）に沿って複数の電気光学素子Ｅが配列する。静電潜像の書き込みは、これらの電気光学
素子Ｅから感光体ドラム１１０に光を照射することにより行う。
【００８１】
現像ユニット１６１は、４つの現像器１６３Ｙ，１６３Ｃ，１６３Ｍ，１６３Ｋが９０
°の角間隔をおいて配置されたドラムであり、軸１６１ａを中心にして反時計回りに回転
可能である。現像器１６３Ｙ，１６３Ｃ，１６３Ｍ，１６３Ｋは、それぞれイエロー、シ
アン、マゼンタ、黒のトナーを感光体ドラム１１０に供給して、静電潜像に現像剤として
のトナーを付着させることにより感光体ドラム１１０に顕像（すなわち可視像）を形成す
る。
【００８２】
無端の中間転写ベルト１６９は、駆動ローラ１７０ａ、従動ローラ１７０ｂ、一次転写
ローラ１６６およびテンションローラに巻回されて、これらのローラの周囲を矢印に示す
向きに回転させられる。一次転写ローラ１６６は、感光体ドラム１１０から顕像を静電的
に吸引することにより、感光体ドラム１１０と一次転写ローラ１６６の間を通過する中間
転写ベルト１６９に顕像を転写する。
【００８３】
具体的には、感光体ドラム１１０の最初の１回転で、電気光学装置１０によりイエロー
（Ｙ）像のための静電潜像が書き込まれて現像器１６３Ｙにより同色の顕像が形成され、
さらに中間転写ベルト１６９に転写される。また、次の１回転で、電気光学装置１０によ
りシアン（Ｃ）像のための静電潜像が書き込まれて現像器１６３Ｃにより同色の顕像が形
成され、イエローの顕像に重なり合うように中間転写ベルト１６９に転写される。そして
、このようにして感光体ドラム１１０が４回転する間に、イエロー、シアン、マゼンタ、
黒の顕像が中間転写ベルト１６９に順次に重ね合わせられ、この結果としてフルカラーの
顕像が転写ベルト１６９上に形成される。最終的に画像を形成する対象としてのシートの
両面に画像を形成する場合には、中間転写ベルト１６９に表面と裏面の同色の顕像を転写
し、次に中間転写ベルト１６９に表面と裏面の次の色の顕像を転写する形式で、フルカラ
ーの顕像を中間転写ベルト１６９上に形成する。
【００８４】
画像形成装置には、シートが通過させられるシート搬送路１７４が設けられている。シ
ートは、給紙カセット１７８から、ピックアップローラ１７９によって１枚ずつ取り出さ
れ、搬送ローラによってシート搬送路１７４を進行させられ、駆動ローラ１７０ａに接し
た中間転写ベルト１６９と二次転写ローラ１７１の間のニップを通過する。二次転写ロー
ラ１７１は、中間転写ベルト１６９からフルカラーの顕像を一括して静電的に吸引するこ
とにより、シートの片面に顕像を転写する。二次転写ローラ１７１は、図示しないクラッ
チにより中間転写ベルト１６９に接近および離間させられるようになっている。そして、
シートにフルカラーの顕像を転写する時に二次転写ローラ１７１は中間転写ベルト１６９
に当接させられ、中間転写ベルト１６９に顕像を重ねている間は二次転写ローラ１７１か
ら離される。
【００８５】
以上のようにして画像が転写されたシートは定着器１７２に搬送され、定着器１７２の
加熱ローラ１７２ａと加圧ローラ１７２ｂの間を通過させられることにより、シート上の
顕像が定着する。定着処理後のシートは、排紙ローラ対１７６に引き込まれて矢印Ｆの向
きに進行する。両面印刷の場合には、シートの大部分が排紙ローラ対１７６を通過した後
、排紙ローラ対１７６が逆方向に回転させられ、矢印Ｇで示すように両面印刷用搬送路１
７５に導入される。そして、二次転写ローラ１７１により顕像がシートの他面に転写され
、再び定着器１７２で定着処理が行われた後、排紙ローラ対１７６でシートが排出される
。
【００８６】
図１０および図１１に例示した画像形成装置は、ＯＬＥＤ素子を電気光学素子Ｅとして
採用した光源（露光手段）を利用しているので、レーザ走査光学系を用いた場合よりも装
置が小型化される。なお、以上に例示した以外の電子写真方式の画像形成装置にも本発明
の電気光学装置１０を採用することができる。例えば、中間転写ベルトを使用せずに感光
体ドラムからシートに対して直接的に顕像を転写するタイプの画像形成装置や、モノクロ
の画像を形成する画像形成装置にも本発明に係る電気光学装置１０を応用することが可能
である。
【００８７】
本発明に係る電気光学装置の用途は感光体の露光に限定されない。例えば、本発明の電
気光学装置は、原稿などの読取対象に光を照射するライン型の光ヘッド（照明装置）とし
てスキャナなどの画像読取装置に採用される。この種の画像読取装置としては、スキャナ
、複写機やファクシミリの読取部分、バーコードリーダ、あるいはＱＲコード（登録商標
）のような二次元画像コードを読む二次元画像コードリーダがある。また、複数の電気光
学素子（特に発光素子）を面状に配列した電気光学装置は、液晶パネルの背面側に配置さ
れるバックライトユニットとしても採用される。
【００８８】
また、画像を表示する表示装置としても本発明の電気光学装置が採用される。この表示
装置においては、行方向および列方向にわたって複数の電気光学素子Ｅがマトリクス状に
配列される。そして、走査線駆動回路が単位期間（水平走査期間）ごとに各行を選択し、
この選択行の各電気光学素子Ｅに対して補正データＡまたは階調データＧとが供給される
。本発明の電気光学装置が画像の表示のために利用される電子機器としては、例えば、可
搬型のパーソナルコンピュータ、携帯電話機、携帯情報端末（ＰＤＡ：Personal Digital
Assistants）、デジタルスチルカメラ、テレビ、ビデオカメラ、カーナビゲーション装
置、ページャ、電子手帳、電子ペーパー、電卓、ワードプロセッサ、ワークステーション
、テレビ電話、ＰＯＳ端末、プリンタ、スキャナ、複写機、ビデオプレーヤ、タッチパネ
ルを備えた機器等などが挙げられる。
【図面の簡単な説明】
【００８９】
【図１】第１実施形態に係る画像形成装置の部分的な構成を示す斜視図である。
【図２】電気光学装置の構成を示すブロック図である。
【図３】第１実施形態の動作を説明するためのタイミングチャートである。
【図４】ひとつの単位回路の構成を示す回路図である。
【図５】ひとつの電流生成部の構成を示す回路図である。
【図６】第２実施形態に係る電気光学装置の構成を示すブロック図である。
【図７】第２実施形態の動作を説明するためのタイミングチャートである。
【図８】第３実施形態に係る電気光学装置の構成を示すブロック図である。
【図９】第３実施形態の動作を説明するためのタイミングチャートである。
【図１０】本発明に係る電子機器の具体例（画像形成装置）を示す斜視図である。
【図１１】本発明に係る電子機器の具体例（画像形成装置）を示す斜視図である。
【符号の説明】
【００９０】
１０……電気光学装置、１５……集光性レンズアレイ、１１０……感光体ドラム、１２…
…基板、Ｕ（Ｕ1〜Ｕn）……単位回路、Ｕa……第１単位回路、Ｕb……第２単位回路、Ｕ
Ｂ（ＵＢ1〜ＵＢN）……回路部、Ｂ（Ｂ1〜ＢM）……ブロック、Ｌ，Ｌ1〜ＬM……信号線
、Ｌa……第１信号線、Ｌb……第２信号線、Ｔdr……駆動トランジスタ、Ｅ……電気光学
素子、２０……選択回路、２１……第１選択回路、２２……第２選択回路、３０……デー
タ取得回路、４０……経路制御回路、５０……補正回路、５４……電流源トランジスタ、
Ｉs[1]〜Ｉs[n]……基準電流、Ｉdr……駆動電流、Ａ（Ａ1〜Ａn）……補正データ、Ｇ（
Ｇ1〜Ｇn）……階調データ。
【図１】
0004702077.tif 000002
【図２】
0004702077.tif 000003
【図３】
0004702077.tif 000004
【図４】
0004702077.tif 000005
【図５】
0004702077.tif 000006
【図６】
0004702077.tif 000007
【図７】
0004702077.tif 000008
【図８】
0004702077.tif 000009
【図９】
0004702077.tif 000010
【図１０】
0004702077.tif 000011
【図１１】
0004702077.tif 000012